(57)【要約】【課題】  利便性を向上させ、機密性の高い文書に印刷制限を設ける。【解決手段】  組み合わせ登録部７は、印刷制限をかけるメディアタイプとその使用を許可するフォントとの組み合わせを登録する。禁則制御部６は、印刷データが組み合わせ登録部７に登録されているメディアタイプであるか否か、登録されているフォントを使用しているか否かを判断し、登録された組み合わせにメディアタイプがないものの、該当するフォントが使用されている場合、あるいは登録された組み合わせのメディアタイプであるものの、該当するフォントが使用されていない場合には、印刷許可せず、操作パネル３上で印刷ができない旨の表示を行う。【選択図】    図１
2006181867.tif 000002
【特許請求の範囲】
【請求項１】
印刷データで指定されているメディアタイプに印刷データで使用されているフォントで印刷する画像形成装置であって、
印刷制限をかけるメディアタイプとその使用を許可するフォントとの組み合わせを登録する組み合わせ登録手段と、
前記印刷データが組み合わせ登録手段に登録されているメディアタイプを指定しているか否かを判断するメディアタイプ判断手段と、
前記印刷データが組み合わせ登録手段に登録されているフォントを使用しているか否かを判断するフォント判断手段と、
前記メディアタイプ判断手段および前記フォント判断手段により、登録された組み合わせにメディアタイプが指定されていないものの、該当するフォントが使用されていると判断された場合、あるいは登録された組み合わせのメディアタイプが指定されているものの、該当するフォントが使用されていないと判断された場合には印刷を許可しない印刷制御手段と
を具備することを特徴とする画像形成装置。
【請求項２】
印刷制限をかけるメディアタイプとその使用を許可するフォントとの組み合わせを入力する入力手段を具備することを特徴とする請求項１記載の画像形成装置。
【請求項３】
前記印刷制御手段により印刷データの印刷を許可しない場合、印刷ができない旨の表示を行う表示手段を具備することを特徴とする請求項１記載の画像形成装置。
【請求項４】
印刷データで指定されているメディアタイプに印刷データで使用されているフォントで印刷するために、印刷制限をかけるメディアタイプとその使用を許可するフォントとの組み合わせを登録する組み合わせ登録手段を備えた画像形成装置上で動作する印刷制限プログラムであって、
前記印刷データが組み合わせ登録手段に登録されているメディアタイプを指定しているか否かを判断するメディアタイプ判断処理と、
前記印刷データが組み合わせ登録手段に登録されているフォントを使用しているか否かを判断するフォント判断処理と、
前記メディアタイプ判断処理および前記フォント判断処理により、登録された組み合わせにメディアタイプが指定されていないものの、該当するフォントが使用されていると判断された場合、あるいは登録された組み合わせのメディアタイプが指定されているものの、該当するフォントが使用されていないと判断された場合には印刷を許可しない印刷制御処理と
をコンピュータに行わせることを特徴とする印刷制限プログラム。
【発明の詳細な説明】
【技術分野】
【０００１】
本発明は、印刷の制限を行うことができる画像形成装置および印刷制限プログラムに関する。
【背景技術】
【０００２】
印刷装置における給紙カセットのメディアタイプ設定は、印刷のセレクション動作を行う上で重要な設定項目である。メディアタイプ設定は、印刷エンジンに依存する禁則動作にも関わっており、この設定変更を行うことで使用可能／不可能となる後処理等がある。このメディアタイプとしては、予め定義されているタイプに加え、ユーザが詳細に設定できるカスタム機能を有している場合が多い。このカスタム機能を利用して給紙カセットに登録されたメディアタイプの用途の１つとして、秘匿プリンタとしての使用方法がある。秘匿プリンタとは、この場合、主に有価証券や社内正規文書等を印刷することである。
【０００３】
このような用途においては、用紙自体が特殊であるので、用紙についても使用を制限している場合が多い。この秘匿プリンタとして使用するにあたり、現状の方法としては明示的にそのメディアタイプを指定しない限り、その給紙カセットを使用できないようにする方法や、さらには、メディアタイプまたは給紙カセット自体にパスワードを登録し、印刷データに付加、もしくは印刷装置の操作パネルからの入力によって印刷を許可する方法などがある。
【０００４】
例えば、フォントにパスワードを設定する従来技術として、印刷ジョブから特定のフォントを検知すると、パスワードを要求することによって印刷制限する技術や（例えば特許文献１参照）、パスワードの入力によって、特定のフォントの印刷許可を行う技術が知られている（例えば特許文献２参照）。
【０００５】
また、給紙カセット、用紙のメディアタイプにパスワードを設定する技術として、印刷データを印刷する際、クライアントからの給紙カセットまたはメディアタイプの要求に従って印刷し、特定の給紙カセットまたはメディアタイプが指定された場合には、パスワードを要求する技術が知られている（例えば特許文献３参照、特許文献４参照）。
【特許文献１】特開平０７−１２５３８３号公報
【特許文献２】特開２００３−２５６５０号公報
【特許文献３】特開平１１−１４３６６０号公報
【特許文献４】特開２００４−２１０４９号公報
【発明の開示】
【発明が解決しようとする課題】
【０００６】
ところで、上述した有価印刷物などは、その内容自体も機密性の高いものと考えられるため、印刷データを印刷すること自体に対する制限することも必要である。しかしながら、この給紙カセットやメディアタイプに対するパスワードロックだけでは、用紙の使用に対してのみしか制限がかけられず、データ自体は、別の用紙を使用することで印刷可能になってしまうという問題がある。また、使用者は、パスワードの管理と印刷時に入力する手間が必要となり、使い勝手が悪いという問題がある。
【０００７】
本発明は、このような事情を考慮してなされたものであり、その目的は、機密性の高い文書に印刷制限を設け、その文書に含まれる一部を禁則することができる画像形成装置を提供することにある。
【課題を解決するための手段】
【０００８】
上述した課題を解決するために、本発明は、印刷データで指定されているメディアタイプに印刷データで使用されているフォントで印刷する画像形成装置であって、印刷制限をかけるメディアタイプとその使用を許可するフォントとの組み合わせを登録する組み合わせ登録手段と、前記印刷データが組み合わせ登録手段に登録されているメディアタイプを指定しているか否かを判断するメディアタイプ判断手段と、前記印刷データが組み合わせ登録手段に登録されているフォントを使用しているか否かを判断するフォント判断手段と、前記メディアタイプ判断手段および前記フォント判断手段により、登録された組み合わせにメディアタイプが指定されていないものの、該当するフォントが使用されていると判断された場合、あるいは登録された組み合わせのメディアタイプが指定されているものの、該当するフォントが使用されていないと判断された場合には印刷を許可しない印刷制御手段とを具備することを特徴とする。
【０００９】
本発明は、上記の発明において、印刷制限をかけるメディアタイプとその使用を許可するフォントとの組み合わせを入力する入力手段を具備することを特徴とする。
【００１０】
本発明は、上記の発明において、前記印刷制御手段により印刷データの印刷を許可しない場合、印刷ができない旨の表示を行う表示手段を具備することを特徴とする。
【００１１】
上述した課題を解決するために、本発明は、印刷データで指定されているメディアタイプに印刷データで使用されているフォントで印刷するために、印刷制限をかけるメディアタイプとその使用を許可するフォントとの組み合わせを登録する組み合わせ登録手段を備えた画像形成装置上で動作する印刷制限プログラムであって、前記印刷データが組み合わせ登録手段に登録されているメディアタイプを指定しているか否かを判断するメディアタイプ判断処理と、前記印刷データが組み合わせ登録手段に登録されているフォントを使用しているか否かを判断するフォント判断処理と、前記メディアタイプ判断処理および前記フォント判断処理により、登録された組み合わせにメディアタイプが指定されていないものの、該当するフォントが使用されていると判断された場合、あるいは登録された組み合わせのメディアタイプが指定されているものの、該当するフォントが使用されていないと判断された場合には印刷を許可しない印刷制御処理とをコンピュータに行わせることを特徴とする。
【発明の効果】
【００１２】
この発明によれば、ユーザの使い勝手を向上させつつ、機密性の高い文書に印刷制限を設けることができ、その文書に含まれる一部を禁則することができるという利点が得られる。
【発明を実施するための最良の形態】
【００１３】
以下、本発明の一実施形態による画像形成装置を、図面を参照して説明する。
図１は、本発明の実施形態による画像形成装置を示すブロック図である。図において、ホスト１は、印刷データを画像形成装置２に送信する。画像形成装置２は、操作パネル３、データ受信部４、内部記憶装置５、禁則制御部６、組み合わせ登録部７、データ解析部８、内部処理制御部９、印刷制御部１０および印刷エンジン１１を備えている。操作パネル３は、ユーザからの指示を入力するための各種キーや、画像形成装置の動作に関する各種情報を表示する。特に、本実施形態では、禁則するフォントおよびメディアタイプの組み合わせを入力する。データ受信部４は、ホスト１からの印刷データ、あるいはホスト１から、上記禁則するフォントおよびメディアタイプの組み合わせを設定情報通知として受信する。すなわち、本実施形態では、禁則するフォントおよびメディアタイプの組み合わせは、パネル操作部３またはホスト１から入力されることになる。
【００１４】
内部記憶装置５は、不揮発性のメモリであり、印刷制限がかかったメディアタイプとその使用を許可するフォントとの組み合わせを保持する。禁則制御部６は、印刷データが禁則登録部に登録されているメディアタイプであるか、登録されているフォントを使用しているか否かを判断する。組み合わせ登録部７は、印刷制限をかけるメディアタイプとその使用を許可するフォントとの組み合わせを登録する。
【００１５】
データ解析部８は、印刷データを解析し、使用されているフォント情報および指定されているメディアタイプ情報を取り出す。内部処理制御部９は、各部を所定のプログラムに従って制御する。印刷制御部１０は、印刷データを所定のデータ形式に変換し、印刷エンジン１１に渡す。印刷エンジン１１は、所定のデータ形式の印刷データを用紙などの紙媒体に印字出力する。
【００１６】
本実施形態では、ホスト１からの印刷データ（文書）の一部としてフォントを利用する。このフォントとは、実使用上、使用者のロゴであったり、文書の作成に使用されているフォントであったりする。秘匿プリンタとしての使用目的の場合、通常、その書式は固定されている。また、特殊な用紙が使用されることが多い。この書式に含まれるフォント（電子捺印等の承認情報でもよい）を利用する。まず、文書を印刷するための用紙の使用に制限を設ける（メディアタイプ使用の制限）。この制限のかかった用紙の使用を許可する手段として、フォントをキーとして用いる。このために、画像形成装置２には、使用を制限するメディアタイプとフォントの組み合わせを設定する。画像形成装置２は、この組み合わせを満足した場合にだけ印刷を行う。
【００１７】
同様に、この組み合わせを設定されているフォントが指定されている場合には、必ず組み合わせのメディアタイプを用いるようにしてもよい。こうすることにより、メディアタイプに使用制限をかけることができ、かつフォントをキーとして用いることができる。さらに、別の用紙を用いることで印刷可能となってしまうという問題についても、メディアタイプとフォントとの組み合わせを満足しないと印刷が許可されないので、回避することができる。また、使い勝手の面でも、パスワードを入力する等の手間もなく、印刷を行うユーザは、特に意識することなく使用することができる。
【００１８】
次に、上述した本実施形態による画像形成装置の動作について説明する。ここで、図２は、本実施形態による画像形成装置の動作を説明するためのフローチャートである。ホスト１からの印刷データをデータ受信部４が受信すると、内部処理制御部９は、データ解析部８にデータを渡す。データ解析部８は、印刷データを解析し、使用されているフォント情報および指定されているメディアタイプ情報を取り出す。取り出されたフォント情報および指定されているメディアタイプ情報は、禁則制御部６に渡される。禁則制御部６では、印刷データが組み合わせ登録部７に登録されているメディアタイプであるか否かを判断する（ステップＳ１０）。
【００１９】
そして、登録された組み合わせに該当するメディアタイプがなければ、組み合わせ登録部７に登録されているフォントを使用しているか否かを判断する（ステップＳ１２）。そして、登録された組み合わせに該当するフォント、およびメディアタイプがなければ、印刷制御部１０、印刷エンジン１１を起動し、通常の印刷動作を行う（ステップＳ２０）。
【００２０】
一方、組み合わせに登録されているメディアタイプが指定されている場合には、組み合わせ登録部７に登録されているフォントを使用しているか否かを判断する（ステップＳ１４）。そして、登録された組み合わせにメディアタイプが指定されており、かつ登録されているフォントを使用している場合には、印刷制御部１０、印刷エンジン１１を起動し、通常の印刷動作を行う（ステップＳ２０）。
【００２１】
一方、登録された組み合わせにメディアタイプがないものの、該当するフォントを使用している場合、あるいは登録された組み合わせのメディアタイプであるものの、該当するフォントを使用していない場合には、印刷許可せず、印刷ができない旨の表示を操作パネル３上で行い（ステップＳ１６）、印刷データを削除し（ステップＳ１８）、当該処理を終了する。但し、組み合わせ登録されているメディアタイプ指定に入れ換えて印刷してもよい。
【００２２】
なお、上述した実施形態においては、禁則制御部６、データ解析部８、内部処理制御部９などは、コンピュータシステム内で実行される。そして、上述した禁則制御部６、データ解析部８、内部処理制御部９などによる一連の処理の過程は、プログラムの形式でコンピュータ読み取り可能な記録媒体に記憶されており、このプログラムをコンピュータが読み出して実行することによって、上記処理が行われる。すなわち、禁則制御部６、データ解析部８、内部処理制御部９などにおける、各処理手段、処理部は、ＣＰＵ等の中央演算処理装置がＲＯＭやＲＡＭ等の主記憶装置に上記プログラムを読み出して、情報の加工・演算処理を実行することにより、実現されるものである。
【００２３】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００２４】
【図１】本発明の実施形態による画像形成装置を示すブロック図である。
【図２】本実施形態による画像形成装置の動作を説明するためのフローチャートである。
【符号の説明】
【００２５】
１  ホスト
２  画像形成装置
３  操作パネル（入力手段、表示手段）
４  データ受信部（入力手段）
５  内部記憶装置
６  禁則制御部（メディアタイプ判断手段、フォント判断手段）
７  組み合わせ登録部（組み合わせ登録手段）
８  データ解析部
９  内部処理制御部（印刷制御手段）
１０  印刷制御部（印刷制御手段）
１１  印刷エンジン
【図１】
2006181867.tif 000003
【図２】
2006181867.tif 000004